(57)【要約】【課題】表示札の取付作業において、一方の手の指先で保持すべき押付保持部が、他方の手で巻回する巻回予定位置と重なり合って配置することが主因で悪化する取付作業性を向上させることである。【解決手段】電線保護管Ｐに巻回される巻回本体部２０と、電線保護管Ｐに諸事項を表示するために前記巻回本体部２０に一体に形成された表示部１０と、前記巻回本体部２０に形成され、巻回本体部２０が上下に重なり合う重合部２３ａ，２３ｂ同士を係止して該巻回本体部２０の巻回状態を維持するループ状及びフック状の各係止部４，５よりなる係止部と、前記巻回本体部２０の長手方向Ｖに対して横方向Ｗにずれて形成され、前記電線保護管Ｐに巻回本体部２０を巻回する際、前記巻回本体部２０を電線保護管Ｐに押し付けて保持するための左側押付保持部Ｓ１  とを備えた表示札とする。【選択図】        図２
2004348011.tif 000002
【特許請求の範囲】
【請求項１】
被取付体に巻回される帯状の巻回本体部と、
前記被取付体に諸事項を表示するために前記巻回本体部に一体に形成された表示部と、
前記巻回本体部に形成され、前記被取付体に巻回された巻回本体部が上下に重なり合う重合部同士を係止して該巻回本体部の巻回状態を維持する係止部と、
前記巻回本体部の長手方向に対して横方向にずれて形成され、前記被取付体に巻回本体部を巻回する際、前記巻回本体部を被取付体に押し付けて保持するための押付保持部と、を備えたことを特徴とする表示札。
【請求項２】
前記巻回本体部の一端部に表示部が、その他端部に押付保持部が、それぞれ形成されていることを特徴とする請求項１に記載の表示札。
【請求項３】
前記押付保持部は、前記巻回本体部の両横方向に向けて一対設けられていることを特徴とする請求項１又は２に記載の表示札。
【請求項４】
前記巻回本体部に一体に形成された表示部、及び押付保持部は、巻回本体部に対して互いに反対側に配置されていることを特徴とする請求項１又は２に記載の表示札。
【請求項５】
前記押付保持部は、巻回本体部の巻回方向と逆の延長方向を向いた斜横方向にずれて形成されていることを特徴とする請求項１ないし４のいずれかに記載の表示札。
【請求項６】
前記表示部は、押付保持部を兼用していることを特徴とする請求項１に記載の表示札。
【発明の詳細な説明】
【０００１】
【発明の属する技術分野】
本発明は、配線・配管材等の被取付体に取付けられ、該被取付体の種類・用途・行先・その他覚書等の諸事項を表示する表示札に関するものである。
【０００２】
【従来の技術】
ケーブル類の配線や、配管材の配管先を表示する従来の表示札として、図１１に示されるものがある。表示札Ｌ’は、電線保護管Ｐに取り付けて使用され、これに巻回される巻回本体部２０と、その配線先を表示する表示部１０とを備えている。該表示札Ｌ’は、ループシート１、中間フィルム２、フックシート３が、順に積層された布状の３層構造のものであって（図３参照）、ループ状の繊維よりなるループ状係止部４を有するループシート１の片面と、フック状係止部５を有するフックシート３の片面とが外側に露出され、両係止部４，５が、それぞれ表示札Ｌ’の表裏面をなしており、全体として振り子形の外形状に切断されている。そして、円形の振子の形状に相当する部分が、前記表示部１０をなし、その支軸の形状に相当する直線帯状の部分が、前記電線保護管Ｐに巻回される前記巻回本体部２０をなして両者が一体に形成されており、前記ループ状係止部４とフック状係止部５とよりなる面ファスナー方式の係止部を使用して、電線保護管Ｐに取付けて使用される。また、表示札Ｌ’の表面であって、表示部１０の先端から直径の４／５程度の部分は、前記ループシート１が欠落されていて、中間フィルム２が外側に露出し、記名フィルム面１１が形成されている。中間フィルム２はＰＥＴで成形されており、記名フィルム面１１の部分は、配線先等の名称が記載されて使用される。また、以下の説明では、前記巻回本体部２０の長手方向に沿った両端部において、表示部１０と接続する側を「一端」、他方の先端側を「他端」と記してそれぞれ区別する。
【０００３】
次に、係止部を構成する前記ループ状係止部４とフック状係止部５とによる係止原理について簡単に説明する。ループシート１及びフックシート３は、それぞれポリエステルやポリプロピレンを主成分とする樹脂又は繊維で形成されている。ループシート１の片面には、ループ形状を有する繊維状部材が不規則に絡み合わされ、外側に向けて植毛されるように０．５ｍｍ程度の厚みを有するループ状係止部４が形成されており、フックシート３の片面には、断面がマッシュルーム型の無数のフック状係止部５が、僅かな間隔をおいて縦横に整列しながら外側に向けて突出して形成されている。ループシート１及びフックシート３は、それぞれのループ状係止部４とフック状係止部５とが形成されない反対側の面が、前記中間フィルム２の両面に貼付けられ、両係止部４，５が、表示札Ｌ’の表面と裏面とを形成する３層構造となっている。これにより、表示札Ｌ’のループ状係止部４とフック状係止部５とを重ね合わせることによって、ループ状の繊維状部材の中に、フック状係止部５のマッシュルームの「傘」に相当する形状部分が絡み合わされ、両者が簡単に引き剥がされなくなって相互に係止可能となる。
【０００４】
上記した従来構成の表示札Ｌ’を電線保護管Ｐに取付ける手順を、作業者の利き手を「右手」として、以下に示す。
（１）巻回本体部２０の他端部２１の裏面、即ち前記フック状係止部５を電線保護管Ｐの外周面に宛てがって、該他端部２１の表面を左手の指先Ｆ１  で押付けて保持する。
（２）左手の指先Ｆ１  は（１）の状態で、右の手指Ｆ２  で表示部１０、或いは巻回本体部２０の一端部２２を把持しながら、該巻回本体部２０のフック状係止部５を電線保護管Ｐの外周面に沿った巻回予定位置Ｃに宛てがい、これを巻回する。
（３）同じく、左手の指先Ｆ１  は（１）の状態で、右の手指Ｆ２  で巻回本体部２０の一端部２２等を引っ張ってこれを締付けながら、この真下に重なり合って配置する前記他端部２１の近傍のループ状係止部４よりなる重合部２３ａに対して、前記一端部２２及び表示部１０のフック状係止部５よりなる重合部２３ｂを重ね合わせて押え付け、互いに係止する。
【０００５】
しかしながら、前記表示札Ｌ’の取付作業においては、図１２に示されるように、上記した（３）の作業の際に、表示札Ｌ’の巻回本体部２０の巻回予定位置Ｃには、前記他端部２１を、その上から電線保護管Ｐに押し付けて保持する左手の指先Ｆ１  が配置するため、この指先Ｆ１  が障害となって、この近傍の前記重合部２３ａのループ状係止部４に対応して、本来重なり合って係止すべきフック状係止部５よりなる前記重合部２３ｂを重ね合わせて押え付ける作業を、行いにくかった。即ち、ループ状係止部４よりなる重合部２３ａであって、左手の指先Ｆ１  で保持すべき前記他端部２１と、これに重ね合わせるべきフック状係止部５よりなる重合部２３ｂとは、巻回本体部２０の長手方向に沿った同一線上に形成されていて、押付保持部分である他端部２１と巻回予定位置Ｃとが重なり合うことが、作業の妨げとなっていた。
【０００６】
【発明が解決しようとする課題】
本発明は、表示札の取付作業において、一方の手の指先で保持すべき押付保持部が、他方の手で巻回する巻回予定位置と重なり合って配置することが主因で悪化する取付作業性を向上させることを課題としている。
【０００７】
【課題を解決するための手段】
上記の課題を解決するために請求項１の発明は、被取付体に巻回される帯状の巻回本体部と、前記被取付体に諸事項を表示するために前記巻回本体部に一体に形成された表示部と、前記巻回本体部に形成され、前記被取付体に巻回された巻回本体部が上下に重なり合う重合部同士を係止して該巻回本体部の巻回状態を維持する係止部と、前記巻回本体部の長手方向に対して横方向にずれて形成され、前記被取付体に巻回本体部を巻回する際、前記巻回本体部を被取付体に押し付けて保持するための押付保持部と、を備えたことを特徴としている。
【０００８】
請求項１の発明によれば、被取付体に対して表示札を取付けるには、巻回本体部に形成された押付保持部を一方の手の指先で被取付体に対して押し付けて保持し、この状態で、他方の手で被取付体に対して巻回本体部を巻回して、部分的に上下に重ね合わせ、この上下の各重合部の係止部により巻回本体部を係止させる。このように、被取付体に対して表示札の巻回本体部を巻回する際に、巻回本体部を被取付体に対して押し付けて保持するための押付保持部は、巻回本体部の長手方向に対して横方向にずれているので、巻回本体部の巻回時において、押付保持部を保持している指先が前記巻回の邪魔とならない。よって、被取付体に対して表示札を巻回して取付ける作業が容易となる。
【０００９】
また、請求項２の発明は、請求項１の発明において、前記巻回本体部の一端部に表示部が、その他端部に押付保持部が、それぞれ形成されていることを特徴としている。
【００１０】
請求項２の発明によれば、請求項１の発明の作用効果に加えて、前記押付保持部を保持する際に、巻回本体部の端部が被取付体から浮き上がりにくくなって、表示札の取付作業性が向上する。
【００１１】
また、請求項３の発明は、請求項１又は２の発明において、前記押付保持部は、前記巻回本体部の両横方向に向けて一対設けられていることを特徴としている。
【００１２】
請求項３の発明によれば、請求項１又は２の発明の作用効果に加えて、巻回本体部に一対の押付保持部が両横方向に向けて設けられているために、作業者の利き手が右及び左のいずれであっても対処できる。
【００１３】
また、請求項４の発明は、請求項１又は２の発明において、前記巻回本体部に一体に形成された表示部、及び押付保持部は、巻回本体部に対して互いに反対側に配置されていることを特徴としている。
【００１４】
請求項４の発明によれば、請求項１又は２の発明の作用効果に加えて、被取付体の周長と表示札の巻回本体部の長さとの関係において、被取付体に対して巻回本体部を巻回した状態で、表示部と押付保持部とが巻回方向に沿ってほぼ同一位置、或いは近似位置であっても、表示部と押付保持部とは干渉しないので、被取付体に対する表示札の取付作業が容易となる。
【００１５】
また、請求項５の発明は、請求項１ないし４のいずれかの発明において、前記押付保持部は、巻回本体部の巻回方向と逆の延長方向を向いた斜横方向にずれて形成されていることを特徴としている。
【００１６】
請求項５の発明によれば、請求項１ないし４のいずれかの発明の作用効果に加えて、押付保持部を被取付体に対して押し付けて、被取付体に対して巻回本体部を巻回する際に、巻回本体部に巻回方向に向けた引張力が作用しても、巻回本体部における押付保持部と接続する部分が被取付体の表面から浮き上がらなくなって、被取付体に対する表示札の取付作業が容易となる。
【００１７】
また、請求項６の発明は、請求項１の発明において、前記表示部は、押付保持部を兼用していることを特徴としている。
【００１８】
請求項６の発明によれば、請求項１の発明の作用効果に加えて、表示札の構成を簡単にできる。
【００１９】
【発明の実施の形態】
以下複数の実施形態を挙げて、本発明を更に詳細に説明する。なお、各実施形態の表示札において、「従来の技術」の項目で説明した部分と同一部分には、同一の符号を付し、重複説明を避けて、本発明の特徴に係る部分についてのみ説明する。そして、巻回本体部２０の長手方向及び横方向には、それぞれＶ，Ｗの符号を付し、該長手方向Ｖに対して紙面の左右に配置する側を、それぞれ「左側」、「右側」と定めて説明する。図１は、巻回本体部２０が僅かに巻回された状態の第１実施形態の表示札Ｌ１  の全体斜視図であり、図２は、該表示札Ｌ１  の正面図であり、図３は、表示札Ｌ１  の３層構造を示す図２のＡ−Ａ線断面に相当する模式図である。なお、図３は、表示札Ｌ１  の厚みと全長の寸法比を無視して図示している。第１実施形態の表示札Ｌ１  は、従来構成の表示札Ｌ’とほぼ同様の外形状であるが、直線状の巻回本体部２０の他端部２１には、その延長方向に向けて、左側の斜横方向に屈折して接続された左側押付保持部Ｓ１  が形成されている点で、従来構成の表示札Ｌ’と主に異なっている。また、前記記名フィルム面１１を除いた残余の表示部１０には、その横方向Ｗに長い長円状の貫通孔１２が形成されていて、この方向Ｗに沿った貫通孔１２の内径寸法は、巻回本体部２０の横方向Ｗの寸法に対応して、これよりも僅かに大きく形成されている。該貫通孔１２は、後述する他の使用形態で使用される。
【００２０】
前記左側押付保持部Ｓ１  は、前記巻回本体部２０と同一の幅寸法と、これを押付ける取付作業者の指先の大きさに対応した全長とを有する突片であって、前記他端部２１の延長方向に向けて巻回本体部２０の長手方向Ｖと鈍角θ（約１２５°）をなして該他端部２１から左側に屈折し、巻回本体部２０に一体に接続されている。この構成は、後述するように、前記他端部２１から左斜め横方向に向けてずれた部位を、左手の指先Ｆ１  で押付けて保持するためのものである。また、該左側押付保持部Ｓ１  は、３層構造の前記ループシート１、中間フィルム２、フックシート３を、上記した形状に切断して形成されており、ループ状係止部４とフック状係止部５とよりなる係止部を有している。
【００２１】
次に、上記した表示札Ｌ１  の電線保護管Ｐへの取付方法を、図４及び図５を使用して説明する。図４は、左手の指先Ｆ１  で電線保護管Ｐに対して前記押付保持部Ｓ１  を保持しながら、右の手指Ｆ２  で巻回本体部２０を巻回する工程を示す斜視図であって、図５は、表示札Ｌ１  が電線保護管Ｐに取付けられた状態を示す斜視図である。表示札Ｌ１  を電線保護管Ｐに取付けるには、まず、表示札Ｌ１  の前記左側押付保持部Ｓ１  のフック状係止部５を、電線保護管Ｐの外周面に宛てがい、その上のループ状係止部４を、左手の指先Ｆ１  で押付けて保持する。そして、左手の指先Ｆ１  はそのままで、右の手指Ｆ２  で表示部１０を把持しながら、電線保護管Ｐの外周に対応する巻回予定位置Ｃに対して、該巻回本体部２０の長手方向Ｖに沿ってフック状係止部５を宛てがい、これを巻回する。更に、左手の指先Ｆ１  はそのままで、右の手指Ｆ２  で把持した表示部１０を手前側に引っ張ってこれを締付けながら、電線保護管Ｐの巻回予定位置Ｃに配置された前記他端部２１のループ状係止部４よりなる重合部２３ａ（図５のかくれ線で示される部分）に対して、この上に、巻回本体部２０の一端部２２及び表示部１０のフック状係止部５よりなる重合部２３ｂを重ね合わせて押え付け、互いに係止する。なお、表示部１０には、電線保護管Ｐに収容された電線の配線先を示す「電灯」の表示がなされている。
【００２２】
このように、本発明の表示札Ｌ１  の取付工程においては、表示札Ｌ１  の巻回本体部２０を、電線保護管Ｐの前記巻回予定位置Ｃに沿って巻回する際に、最初に左手の指先Ｆ１  で押付けて保持された左側押付保持部Ｓ１  は、巻回本体部２０の他端部２１と接続し、ここから左側に屈折して斜横方向に（横方向Ｗに沿って、該押付保持部Ｓ１  の全長×ｓｉｎθだけ）ずれて配置している。左側押付保持部Ｓ１  の全長は、前記左手の指先Ｆ１  の大きさに対応しており、該指先Ｆ１  は、巻回予定位置Ｃの他端部２１と干渉することなく巻回の邪魔とならない。よって、電線保護管Ｐに対する表示札Ｌ１  の取付作業が容易となる。また、同上の作業を行う際に、前記左側押付保持部Ｓ１  は、巻回本体部２０の延長方向を向いた斜横方向に向けて屈折して形成されているので、巻回本体部２０を巻回しながら締付ける引張力が作用しても、巻回本体部２０の他端部２１、即ち押付保持部Ｓ１  の付根の接続部分が電線保護管Ｐの周面から浮き上がりにくくなって、電線保護管Ｐに対する表示札Ｌ１  の取付作業がより容易となっている。仮に、左側押付保持部Ｓ１  に相当する突片が、巻回本体部２０の長手方向Ｖと直角をなして他端部２１に接続され、押付保持部が、他端部２１の真横に形成されている場合と比較すると、引張方向に向けた前記他端部２１の変位が最小限に押えられて作業性が向上している。
【００２３】
なお、図６は、表示札Ｌ１  が、他の使用形態で電線保護管Ｐに取付けられた状態を示す斜視図であって、左側押付保持部Ｓ１  は、表示部１０の裏面から表面に向けて前記貫通孔１２に挿通されて取付使用されている。この場合には、巻回予定位置Ｃに沿って巻回本体部２０を巻回し、左側押付保持部Ｓ１  の先端部から、これと連続する巻回本体部２０を貫通孔１２に挿通した後に、左手の指先Ｆ１  で前記押付保持部Ｓ１  を保持し、右の手指Ｆ２  で表示部１０を把持して引っ張りながら前記各重合部２３ａ，２３ｂを重ね合わせ、この部分のループ状係止部４とフック状係止部５とを係止して、表示札Ｌ１  を電線保護管Ｐに取付ける。この使用方法によると、前記左側押付保持部Ｓ１  が貫通孔１２に引っ掛かって係止することにより、表示札Ｌ１  の取付強度の信頼性を向上できる。
【００２４】
次に、第２実施形態の表示札Ｌ２  について説明する。図７は、該表示札Ｌ２  の正面図であって、図示されるとおり、第２実施形態の表示札Ｌ２  は、第１実施形態の押付保持部Ｓ１  に相当する部分が、前記巻回本体部２０の他端部２１の両斜横方向に向けて一対設けられている点で、第１実施形態の表示札Ｌ１  と異なっている。即ち、巻回本体部２０の他端部２１には、前記左側押付保持部Ｓ１  に加えて、これと同形状であって、巻回本体部２０に対して右側の斜横方向に屈折するもう１つの右側押付保持部Ｓ２  が接続されており、両押付保持部Ｓ１，Ｓ２  は、長手方向Ｖに沿った巻回本体部２０の中心線に対して線対称に配置するように形成されている。このように、長手方向Ｖに対して左右の斜横方向に向けてずれて配置する一対の左側及び右側の各押付保持部Ｓ１，Ｓ２  が設けられているために、作業者の利き手が右及び左のいずれであっても、左側及び右側のいずれかの押付保持部Ｓ１，Ｓ２  を左右いずれかの指先で押付けながら保持することにより、利き手で巻回本体部２０を巻回する取付作業に対処できる。
【００２５】
また、図８に示される第３実施形態の表示札Ｌ３  は、第１実施形態の表示部１０に相当する部分の構成が異なっている点で、第１実施形態の表示札Ｌ１  と主に異なっている。第３実施形態の表示札Ｌ３  の表示部４０は、角が丸みをおびた略方形であって、その左側の１辺の周縁部が、巻回本体部２０の一端部２２を延長した部分を兼ねてこれと同一線上に配置するように、前記一端部２２に接続して一体化されており、これにより、前記表示部４０の全体が、巻回本体部２０の右側の横方向Ｗに向けて飛出して配置されている。即ち、該表示部４０は、前記左側押付保持部Ｓ１  の巻回本体部２０に対する屈折方向と反対側の横方向Ｗに向けて飛出すように配置されており、表示部１０の中央部と接続して巻回本体部２０に対して左右均等に横方向Ｗに向けて飛出した形状の第１実施形態の表示札Ｌ１  と異なっている。更に、前記左側押付保持部Ｓ１  は、前記他端部２１よりも一端部２２の側にずれた巻回本体部２０の部位に接続して一体化されている。
【００２６】
そして、この構成により、被取付体の外長と表示札Ｌ３  の巻回本体部２０の長さとの関係において、被取付体に対して巻回本体部２０を巻回した状態で、表示部４０と押付保持部Ｓ１  とが巻回方向に沿ってほぼ同一位置、或いは近似位置に配置して干渉するのを防止できる。具体的には、図５において、電線保護管Ｐよりも直径が大きくて外周長が長い管に、前記表示部１０を有する第１実施形態の表示札Ｌ１  を取り付ける場合には、前記左側押付保持部Ｓ１  を保持する左手の指先Ｆ１  の真上に、表示部１０の左側のフック状係止部５が配置して、前記各重合部２３ａ，２３ｂを相互に重ね合わせて係止する作業性を損う恐れがある。第３実施形態の表示札Ｌ３  の構成によれば、図９に示されるように、左側押付保持部Ｓ１  と前記表示部４０とは、巻回本体部２０に対して互いに左右反対側の横方向Ｗに向けて突出しており、両者が巻回方向に沿った近似位置に配置しても、互いに重なり合って干渉しないので、電線保護管Ｐに対する表示札Ｌ３  の取付作業が容易となる。なお、表示部４０には、電線保護管Ｐに収容された電線の配線先を示す「動力」の表示がなされている。
【００２７】
また、図１０は、第４実施形態の表示札Ｌ４  が電線保護管Ｐに取付けられた状態を示す斜視図である。第４実施形態の表示札Ｌ４  は、第３実施形態の表示札Ｌ３  と比較すると、左側押付保持部Ｓ１  が形成されずに、前記表示部４０に相当する押付保持部兼用表示部５０が、前記巻回本体部２０の左側に飛出して形成されている点で、主に異なっており、該表示部５０の右側の１辺の周縁部が、巻回本体部２０の他端部２１と同一直線上に配置して一体化されている。即ち、該押付保持部兼用表示部５０は、電線保護管Ｐの配管先を表示すると共に、表示札Ｌ４  の取付けの際に、上述した各押付保持部Ｓ１，Ｓ２  と同等に使用して、押付けて保持すべき部分であって、巻回本体部２０と重なり合うべき部分の表裏面には、前記ループ状及びフック状の各係止部４，５が形成されている。図示されるように、巻回予定位置Ｃから左横方向にずれて形成された該押付保持部兼用表示部５０を、右利きの作業者の左手の指先Ｆ１  で電線保護管Ｐに押付けて保持しながら、右の手指Ｆ２  で巻回本体部２０を巻回し、該表示札Ｌ４  を取付けできる。なお、図１０の５１は、押付保持部兼用表示部５０の記名フィルム面である。
【００２８】
なお、各実施形態にて説明した左側及び右側の各押付保持部Ｓ１，Ｓ２  は、いずれも巻回本体部２０の長手方向Ｖに対して、他端部２１の延長方向を向いた斜横方向に配置するように形成されている例を示したが、前記各押付保持部Ｓ１，Ｓ２  の前記配置及び形成位置は、上述した「斜め横」や他端部２１には、限定されない。即ち、押付保持部が、長手方向Ｖに対して横方向Ｗに向けて適宜ずれて配置し、これを保持する指先と、巻回本体部２０の巻回予定位置Ｃとが、重なり合わない構成であればそれで構わない。また、表示部の形成位置についても同様であって、巻回本体部２０の一端部２２には限定されない。
【００２９】
また、表示札の係止部は、その表裏面に形成されたループ状係止部４とフック状係止部５とを係止させる面ファスナー方式による構成について説明したが、本発明はこの構成の係止部に限定されない。巻回本体部２０の前記重合部同士を係止するには、この他に、片側の重合部の突起を他方側の嵌合孔に係止させる方法等がある。
【００３０】
【発明の効果】
本発明によれば、一方の手の指先で保持すべき押付保持部が、巻回本体部の長手方向から横方向に向けてずれて配置することにより、表示札の取付作業において、前記押付保持部が、他方の手で巻回する巻回予定位置と重なり合って配置せずに、その取付作業性が向上する。
【図面の簡単な説明】
【図１】巻回本体部２０が僅かに巻回された状態の第１実施形態の表示札Ｌ１  の全体斜視図である。
【図２】第１実施形態の表示札Ｌ１  の正面図である。
【図３】表示札Ｌ１  の３層構造を示す図２のＡ−Ａ線断面に相当する模式図である。
【図４】左手の指先Ｆ１  で電線保護管Ｐに対して左側押付保持部Ｓ１  を保持しながら、右の手指Ｆ２  で巻回本体部２０を巻回する工程を示す斜視図である。
【図５】表示札Ｌ１  が電線保護管Ｐに取付けられた状態を示す斜視図である。
【図６】表示札Ｌ１  が他の使用形態で電線保護管Ｐに取付けられた状態を示す斜視図である。
【図７】第２実施形態の表示札Ｌ２  の正面図である。
【図８】第３実施形態の表示札Ｌ３  の正面図である。
【図９】表示札Ｌ３  が電線保護管Ｐに取付けられた状態を示す斜視図である。
【図１０】表示札Ｌ４  が電線保護管Ｐに取付けられた状態を示す斜視図である。
【図１１】従来構成の表示札Ｌ’の正面図である。
【図１２】従来構成の表示札Ｌ’を電線保護管Ｐに取付ける際に、ループ状係止部４及びフック状係止部５を互いに係止する状態を示した斜視図である。
【符号の説明】
Ｆ１  ：左手の指先（一方の手の指先）
Ｆ２  ：右の手指（他方の手）
Ｌ’，Ｌ１  〜Ｌ３  ：表示札
Ｐ：電線保護管（被取付体）
Ｓ１  ：左側押付保持部
Ｓ２  ：右側押付保持部
Ｖ：長手方向
Ｗ：横方向
４：ループ状係止部（係止部）
５：フック状係止部（係止部）
１０，４０：表示部
２０：巻回本体部
２１：巻回本体部の他端部
２２：巻回本体部の一端部
２３ａ，２３ｂ：表示札の表裏面の重合部
５０：押付保持部兼用表示部
【図１】
2004348011.tif 000003
【図２】
2004348011.tif 000004
【図３】
2004348011.tif 000005
【図４】
2004348011.tif 000006
【図５】
2004348011.tif 000007
【図６】
2004348011.tif 000008
【図７】
2004348011.tif 000009
【図８】
2004348011.tif 000010
【図９】
2004348011.tif 000011
【図１０】
2004348011.tif 000012
【図１１】
2004348011.tif 000013
【図１２】
2004348011.tif 000014